(57)【特許請求の範囲】
【請求項１】
尿のレシーバであって、
大腿部の内側、陰唇またはその他の適当な領域の構造に少なくとも近接する鞍形の開口上部と、
内容物の放出のために前記レシーバの基部に配置され、尿サンプルを収集するためにサンプル容器が取り付け可能であり、付勢される栓によって閉鎖可能である出口と、を備え、
前記サンプル容器を前記レシーバの前記出口に接続することで前記栓が開位置に押され、それにより前記内容物が前記サンプル容器内に流出する、
尿のレシーバ。
【請求項２】
前記レシーバは、前記内容物を簡単に廃棄するための取っ手および注ぎ口を備える、請求項１に記載のレシーバ。
【請求項３】
前記サンプル容器および前記出口は、前記サンプル容器が前記レシーバに簡単に取り付けられかつ簡単に取り外しできるようにバイオネット継手を備える、請求項１に記載のレシーバ。
【請求項４】
前記サンプル容器および前記出口は、ねじ接続によって接続される、請求項１に記載のレシーバ。
【請求項５】
前記レシーバは、リトマスまたはその他のインジケータのためのホルダを備える、請求項１乃至４のいずれか一項に記載のレシーバ。
【請求項６】
前記インジケータホルダは、前記レシーバの内側壁に沿って配置された溝を備える、請求項５に記載のレシーバ。
【請求項７】
前記インジケータホルダは、前記レシーバ内で受容することができる別個の挿入体を備える、請求項５に記載のレシーバ。
【請求項８】
前記挿入体は、前記尿の初流を吸収しかつ微生物またはその他の汚物の望ましくない侵入を防止するために、前記レシーバの内側の形状に適合するフィルタおよび／またはスポンジを代替的または付加的に支持するための形状を有する、請求項７に記載のレシーバ。
【請求項９】
前記スポンジは、セルロースあるいはその他の吸収性材料から作成される、請求項８に記載のレシーバ。
【請求項１０】
前記挿入体は、前記レシーバの前記注ぎ口の直下に配置される、請求項７乃至９のいずれか一項に記載のレシーバ。
【請求項１１】
前記挿入体は、前記レシーバの内側周りに延在するレッジによって支持される、請求項７乃至１０のいずれか一項に記載のレシーバ。
【請求項１２】
前記挿入体は、前記スポンジによって吸収されなかった前記尿が流入することができる開き口に向かって傾斜する固体基部を備える、請求項７乃至１１のいずれか一項に記載のレシーバ。
【請求項１３】
前記挿入体は、前記注ぎ口にとって適切な漏出防止具を備える、請求項７乃至１２のいずれか一項に記載のレシーバ。
【請求項１４】
前記レシーバは、取り外し可能な支持台を備え、不使用時には前記レシーバを前記支持台上に配置可能である、請求項１乃至１３のいずれか一項に記載のレシーバ。
【請求項１５】
前記レシーバは、縁に嵌合しかつ使用中にその領域でシールを形成するよう適合された交換可能な縁要素を備える、請求項１乃至１４のいずれか一項に記載のレシーバ。
【請求項１６】
前記縁要素は、最低限の圧力の付与で十分にシールすることができるように、柔軟かつ圧縮可能である、請求項１５に記載のレシーバ。
【請求項１７】
前記レシーバは、取り外し可能な蓋を備える、請求項１乃至１６のいずれか一項に記載のレシーバ。 
【発明の詳細な説明】
【技術分野】
【０００１】
本発明は、尿サンプルのレシーバおよび女性用尿レシーバに関する。
【背景技術】
【０００２】
尿は、患者の健康およびウェルビーイングの測定に重要な診断ツールである。尿検体から得られる臨床情報は、採集方法、タイミングおよび取扱い方法に影響される。
【０００３】
細胞および細菌汚染の発生率が低いことから、中間尿の無菌採取により得られた検体が、培養および感受性試験において好ましい種類の検体である。
【発明の概要】
【発明が解決しようとする課題】
【０００４】
しかしながら、尿サンプルの重要性にも関わらず、尿の採集方法は必要とされる衛生手順および無菌手順で実施されることはほとんどない。
【０００５】
実際のところ、一般的に尿サンプルはサンプルボトルに直接排尿されることによって採取されるか、あるいはジャグ等を介してサンプルボトル内に採取されるものであり、ジャグまたはサンプルボトルはいずれも滅菌状態下で保存されているものではない。サンプルの採集は漏出や越流を伴い、一般的に不衛生である。
【０００６】
さらには、このような方法で採取された尿サンプルは一般的に、排出された尿の中間部からのサンプルほど代表的なサンプルとはなり得ない、排出された尿の初尿含む。初尿のサンプルは、実際には尿内に存在しない細菌やその他の微生物を含む可能性がある。より正確な結果を得る目的のためには、中間尿流を採取することが望ましい。
【０００７】
上記の問題により、手術室で実施される単純な尿検査でさえも信頼性に欠ける結果をもたらすことがある。
【０００８】
上記に加えて、女性の解剖学的構造の形状に合った尿レシーバで、トイレの使用が制限されるような様々な場面、例えば長時間のドライブ旅行や徒歩での旅行の最中、あるいは女性患者にとって深刻な困難を引き起こす手術後の症状および失禁に対して使用することができる、尿レシーバが必要とされている。
【０００９】
本発明の目的は、上記問題点のいくつかを少なくとも部分的に緩和する尿レシーバを提供することである。
【課題を解決するための手段】
【００１０】
本発明により基本的には女性用である尿レシーバが提供され、尿レシーバは大腿部の内側、陰唇またはその他の適当な領域の構造に少なくとも近接する鞍形の開口上部を備える。
【００１１】
レシーバは、内容物を簡単に廃棄するためにジャグの取っ手などといった取っ手と共に注ぎ口を備え得る。
【００１２】
レシーバはさらには、内容物の放出または尿サンプルの収集のために、基部に位置する閉鎖可能な出口を有し得る。
【００１３】
出口閉鎖具は、格納可能な栓を備え得る。
【００１４】
サンプル容器は、尿サンプルを収集するために出口に取り付け可能である。
【００１５】
容器および出口は、サンプル容器がレシーバに簡単に取り付けられかつレシーバから簡単に取り外しできるようにバイオネット継手を備え得る。
【００１６】
代替的に、サンプル容器はねじ接続によって出口に接続され得る。
【００１７】
サンプル容器をレシーバの出口に接続することで栓が開位置に格納され、それにより尿がサンプル容器内に流出する。
【００１８】
サンプル容器は、容器がレシーバに接続される際に貫通される薄膜によってシールされた専用滅菌容器であり得る。代替的に、また本発明の他の実施形態においては、サンプル容器は標準的な非滅菌のサンプルボトルであってよい。サンプル容器は、サンプルが採取された後に容器をシールするための蓋をさらに備え得る。
【００１９】
ｐHの検出およびその他の関連する検出を瞬時に実施するために、レシーバはリトマスまたはその他のインジケータのためのホルダと、注ぎ口用の適切な漏出防止具を備え得る。
【００２０】
ホルダは、レシーバの内側壁に沿って配置された溝を備えることができ、代替的にホルダはレシーバが受容することができる別個の挿入体を備え得る。挿入体は、尿の初尿吸収しかつ微生物またはその他の汚物の望ましくない侵入を防止するために、レシーバの内側の形状に適合するフィルタおよび／またはスポンジをさらに支持するための形状を有し得る。
【００２１】
スポンジはセルロースあるいはその他の吸収性材料から作成されてよい。
【００２２】
挿入体は、レシーバの内側周りに延在するレッジ上に配置されることができ、また挿入体はスポンジによって吸収されなかった尿が流入することができる開き口に向かって傾斜する固体基部を備え得る。
【００２３】
レシーバからインジケータストリップを取り出さなくてもインジケータストリップを見ることができるように、レシーバの壁は透明であってよい。
【００２４】
縁に嵌合しかつ使用中にその領域でシールを形成するよう適合された交換可能な縁要素も提供され得る。
【００２５】
縁要素は、最低限の圧力の付与で十分にシールすることができるように、柔軟かつ圧縮可能である。
【００２６】
これは、使用者の手、衣類、周囲の床および家具などが汚れるのを防ぐ、あるいは少なくとも最小限に抑える。
【００２７】
一定期間にわたってレシーバが様々な異なるユーザによって使用される場合には、衛生状態を向上させるために、各新しいユーザに対して新しい縁要素が提供されてよい。
【００２８】
不使用時にレシーバをその上に配置することができる支持台が備えられ得る。
【図面の簡単な説明】
【００２９】
【図１】蓋および支持台を含むレシーバの投影図。
【図２】支持台上に配置されたレシーバの側面図。
【図３】本発明によるレシーバの上面図。
【図４】下面図。
【図５】フィルタ／スポンジ挿入体の上面図。
【図６】レシーバと共に使用されるサンプルボトルの図。
【発明を実施するための形態】
【００３０】
本発明の一実施形態を、添付の概略図を参照して以下に説明する。図において、レシーバ１０は縁１４を有する鞍形開口部１２を備える。レシーバは注ぎ口２０および取っ手２２を備える。
【００３１】
サンプルの提供からサンプルの検査までの時間差の間に内容物が漏出することまたは汚染されることを防ぐために、レシーバ１０をシールするための蓋１６も備えられる。
【００３２】
レシーバ１０は、バイオネット継手によって支持台１８に載置されることにより、必要な場合において簡単に取り付けることも取り外すことも可能となる。
【００３３】
図３および図４を参照すると、尿を流出させるための出口１９がレシーバ１０の底部に配置されている。
【００３４】
出口１９は、スプリング（図示されず）によって閉位置に付勢され、レシーバ１０の外側から開けることができる栓２４を備える。
【００３５】
図５を参照すると、フィルタパッドおよび／またはスポンジ（図示されず）を支持するための挿入体３０がレシーバ１０の内側に取り外し可能に配置されており、図５を参照すると挿入体は、尿の初めの数滴がスポンジ／フィルタ（図示されず）によって吸収された後に、越流した尿（中間尿）が流入することができる開き口３４に向かって傾斜する固体基部３２を備える。挿入体はさらに、一般的にはリトマスなどの「ディップスティック」と称されるインジケータストリップを受容するための溝状延出部３６を備える。挿入体は、注ぎ口開口部を覆うための漏出防止具３８を備える。
【００３６】
図６を参照すると、サンプル容器４０は尿サンプルを収集するためにレシーバ出口の１９に取り付け可能である。容器４０と出口１９は、サンプル容器がレシーバに簡単に接続されかつレシーバから簡単に取り外すことができるように、符号４２によって示されるバイオネット継手を備える。
【００３７】
本発明の代替的な実施形態において（図示されず）、サンプル容器は出口にねじ接続で接続されてよい。
【００３８】
サンプル容器４０を出口１９に接続することで栓２４が開位置に押され、それにより尿がサンプル容器４０内に流出する。
【００３９】
本発明の本実施形態では、サンプル容器４０は薄膜（図示されず）によってシールされた専用滅菌容器であり、薄膜は容器がレシーバ１０に接続される際に貫通される。サンプル容器は、サンプルが採取された後に容器をシールするためのゴム製蓋４４をさらに備える。
【００４０】
代替的に、また本発明のその他の実施形態においては、サンプル容器は標準的な非滅菌のサンプルボトルであってよい。
【００４１】
縁と同じ形状を有し、縁に係合するための溝を有する縁要素（図示されず）は、縁１２上に取り外し可能に配置されてよい。その要素は、レシーバの縁１２上に嵌合できる溝を備える。
【００４２】
要素は、適用される領域において最低限の圧力の付与のみで上述の如く優れたシール性が達成されるように、柔軟かつ圧縮可能である。加えて、圧縮度合は適用される領域の様々な構造に要素がシールすることができることを可能にし、それにより要素は多数の個別の女性に対して使用することができる。ジュニアサイズのレシーバを設ける必要があり得る。
【００４３】
本発明のレシーバ１０は、男性も簡便に使用することができると理解され、その場合には縁要素は必要とされない。
【００４４】
本発明の一実施形態によると、使用にあたって、尿サンプルが必要とされる場合には、患者は新しいディップスティックおよびセルローススポンジを含む挿入体３０が挿入された滅菌レシーバを手渡される。レシーバの出口は閉位置にある。
【００４５】
患者は自身の膀胱からレシーバ１０内に排尿し、蓋１６でレシーバを覆う。満たされたレシーバは、医師または看護師に手渡され、医師または看護師はレシーバ１０の透明壁を通してディップスティックを見ることができる。
【００４６】
検査室においてさらなる検査が必要とされる場合は、医師または看護師はレシーバの出口１９にバイオネット継手４２を介してサンプル容器４０を取り付け、その過程でサンプル容器上の保護薄膜を貫通させ栓２４を開栓する。この様に尿はサンプル容器内に流出する。一旦サンプル容器４０が満たされると、容器はレシーバから取り外され栓は出口スプリングによってその閉位置に戻るよう付勢され、それにより余分な尿が漏れ出ることが防がれ、余分な尿は適当な時に適切な受け器に廃棄することができる。サンプル容器はゴム製栓蓋でシールされてから更なる検査に出される。
【００４７】
本発明は、その他数多くの実施形態が可能であり、例えばトイレを使用することができない状態で純粋に膀胱から排泄するためにレシーバを使用する場合には、レシーバはより大きい容器に接続されてよい。
【図１】
0006313226.tif 000002
【図２】
0006313226.tif 000003
【図３】
0006313226.tif 000004
【図４】
0006313226.tif 000005
【図５】
0006313226.tif 000006
【図６】
0006313226.tif 000007